(57)【要約】【課題】  補強金具を外部に露出させることなく、また、カバー部材を用いることなく外観品質の向上を図ることができると共に、コストダウンを図ることができる対面式キッチンの天板補強構造を提供する。【解決手段】  天板がキャビネット本体の背面から張り出している対面式キッチンにおいて、上記天板の張り出している部分を支持するための補強部材を、垂直パネルと天板の裏貼りスペーサで隠蔽した。そして、上記補強部材をＬ字型金具で構成し、該Ｌ字型金具の垂直片を垂直パネルの取付補強桟の間に配置し、かつ水平片を裏貼りスペーサの下地材の間に配置した。【選択図】図１
2008110014.tif 000002
【特許請求の範囲】
【請求項１】
天板がキャビネット本体から張り出している対面式キッチンにおいて、上記天板の張り出している部分を支持するための補強部材が、垂直パネルと天板の裏貼りスペーサで隠蔽されていることを特徴とする対面式キッチンの天板補強構造。
【請求項２】
前記補強部材をＬ字型金具で構成し、該Ｌ字型金具の垂直片を垂直パネルの取付補強桟の間に配置し、かつ水平片を裏貼りスペーサの下地材の間に配置したことを特徴とする請求項１に記載の対面式キッチンの天板補強構造。
【請求項３】
前記裏貼りスペーサの下地材は、略コ字状又は略Ｅ字状に形成されていることを特徴とする請求項２に記載の対面式キッチンの天板補強構造。
【発明の詳細な説明】
【技術分野】
【０００１】
この発明は、アイランドキッチン等で採用されている対面式キッチンの天板補強構造に係り、特に、キャビネット本体から張り出している天板の補強理構造に関する。
【背景技術】
【０００２】
従来から、この種の天板張り出し部の支持構造としては、例えば、特許文献１に示すものが公知である。この従来の天板張り出し部の支持構造は、たわみを抑制するために取り付けられた補強部材を外部に露出させないようにカバー部材で塞いでいる構造である。
【０００３】
【特許文献１】特開２００５―１３７５９１号公報
【発明の開示】
【発明が解決しようとする課題】
【０００４】
しかしながら、このような構造では、カバー部材が天板の厚みよりも大きく設定されているため、裏面の化粧パネルまで下がっているため、外観品質が損なわれるという問題を有していた。
【０００５】
この発明は、かかる現状に鑑み創案されたものであって、その目的とするところは、補強金具を外部に露出させることなく、また、カバー部材を用いることなく外観品質の向上を図ることができると共に、コストダウンを図ることができる対面式キッチンの天板補強構造を提供しようとするものである。
【課題を解決するための手段】
【０００６】
上記目的を達成するため、請求項１記載の対面式キッチンの天板補強構造にあっては、天板がキャビネット本体から張り出している対面式キッチンにおいて、上記天板の張り出している部分を支持するための補強部材が、垂直パネルと天板の裏貼りスペーサで隠蔽されていることを特徴とする。
【０００７】
また、請求項２に記載の発明にあっては、請求項１に記載の対面式キッチンの天板補強構造を技術的前提とし、前記補強部材をＬ字型金具で構成し、該Ｌ字型金具の垂直片を垂直パネルの取付補強桟の間に配置し、かつ水平片を裏貼りスペーサの下地材の間に配置したことを特徴とする。
【０００８】
さらに、請求項３に記載の発明にあっては、請求項２に記載の対面式キッチンの天板補強構造を技術的前提とし、前記裏貼りスペーサの下地材は、略Ｅ字状に形成されていることを特徴とする。
【発明の効果】
【０００９】
この発明に係る対面式キッチンの天板補強構造にあっては、以上のように構成されているので、天板の張り出している部分を支持するための補強金具を外部に露出させることなく、また、カバー部材を用いることなく外観品質の向上を図ることができると共に、天板の張り出している部分のたわみを確実に防止してコストダウンを図ることができる。また、内部に補強部材を取り付けるため、外部に取り付けるときよりも施工時における傷を抑制することもできる。
【発明を実施するための最良の形態】
【００１０】
以下、添付図面に示す一実施形態例に基づいて、この発明を詳細に説明する。
【００１１】
図１は、この発明の一実施形態例に係る対面式キッチンの分解斜視図を、図２は同キッチンの縦断面図を、図３は同キッチンの要部の拡大断面図を夫々示している。
【００１２】
図１と図２に示すように、この実施形態例に係る対面式キッチンは、従来の対面式キッチンと同様に構成されてなるキャビネット本体１と、該キャビネット本体１の上部に配置された天板２と、から構成されており、該天板２は、キャビネット本体１の背面３から張り出して設置されている。尚、図中４はシンクを、５は加熱機器設置部位を夫々示している。
【００１３】
そして、上記天板２の張り出し部２Ａは、複数本のＬ字型補強部材１０で支持されている。このＬ字型金具１０の垂直片１１は、キャビネット本体１の背面３に取り付けられる垂直パネル６の取付補強桟７，７，７の間に、背面３にビス又は接着剤等で配置固定され、かつ水平片１２は、天板２の張り出し部２Ａの裏面に固着される裏貼りスペーサ８の下地材９，９，９の間に、張り出し部２Ａの裏面にビス又は接着剤等で配置固定されている。尚、裏貼りスペーサ８の下地材９，９，９は、図１に示すように、略Ｅ字状に形成されている。勿論、裏貼りスペーサ８の下地材９，９，９は、略コ字状に構成されていても、同様の効果が得られる。
【００１４】
この実施形態例に係る対面式キッチンの天板補強構造にあっては、以上のように構成されているので、天板２の張り出している部分２Ａを支持するためのＬ字型補強金具１０を外部に露出させることなく、また、カバー部材を用いることなく外観品質の向上を図ることができると共に、天板２の張り出している部分２Ａのたわみを確実に防止してコストダウンを図ることができる。また、内部に垂直パネル６の取付補強桟７，７，７や裏貼りスペーサ８の下地材９，９，９を取り付けるため、外部に取り付けるときよりも施工時における傷を抑制することもできる。
【００１５】
尚、上記実施形態例では、天板２の張り出している部分２Ａがキャビネット本体１の背面３から張り出している場合を例にとり説明したが、キャビネット本体１の側面から張り出している場合にも同様の処理を施すことで、同様の効果を得ることができる。
【００１６】
図４は、この発明の他の実施形態例を示しており、」天板２の張り出している部分２Ａがキャビネット本体１の背面３及び側面から張り出している場合を示しており、この実施形態例では、上記天板２の背面３及び側面から張り出し部２Ａ，２Ａは、複数本のＬ字型補強部材１０で支持されている。このＬ字型金具１０の各垂直片１１は、キャビネット本体１の背面３及び側面に取り付けられる垂直パネル６の取付補強桟７の間に、背面３及び側面にビス又は接着剤等で配置固定され、かつ各水平片１２は、天板２の張り出し部２Ａ，２Ａの裏面に固着される裏貼りスペーサ８の下地材９の間に、張り出し部２Ａ，２Ａの裏面にビス又は接着剤等で配置され夫々固定されている。
【００１７】
従って、この実施形態例によれば、天板２の背面３及び側面から張り出している部分２Ａ，２Ａを支持するためのＬ字型補強金具１０を外部に露出させることなく、また、カバー部材を用いることなく外観品質の向上を図ることができると共に、天板２の背面３及び側面から張り出している部分２Ａのたわみを確実に防止してコストダウンを図ることができる。また、内部に垂直パネル６の取付補強桟７や裏貼りスペーサ８の下地材９を取り付けるため、外部に取り付けるときよりも施工時における傷を抑制することもできる。
【００１８】
尚、この発明にあっては、図５に示すように、垂直パネル６の板厚を厚く形成し、その裏面に凹溝６Ａを１条以上形成し、該凹溝６ＡにＬ字型金具１０の垂直片１１を収納するように構成することで、上記各実施形態例における取付補強桟７を廃止し、部品点数を削減してコストダウン及び作業の簡略化を図ることができる。
【図面の簡単な説明】
【００１９】
【図１】この発明の一実施形態例に係る対面式キッチンの分解斜視図である。
【図２】同キッチンの縦断面図である。
【図３】同キッチンの要部の拡大断面図である。
【図４】この発明の他の実施形態例に係る対面式キッチンの分解斜視図である。
【図５】垂直パネルの他の実施形態例を示す斜視図である。
【符号の説明】
【００２０】
１  キャビネット本体
２  天板
２Ａ  張り出し部
３  キャビネット本体の背面
６  垂直パネル
６Ａ  凹溝
７，７，７  垂直パネルの取付補強桟
８  裏貼りスペーサ
９，９，９  下地材
１０  Ｌ字型補強金具
１１  垂直片
１２  水平片
【図１】
2008110014.tif 000003
【図２】
2008110014.tif 000004
【図３】
2008110014.tif 000005
【図４】
2008110014.tif 000006
【図５】
2008110014.tif 000007